(57)【要約】【課題】  酸素を貯蔵および供給するための携帯機器を提供することである。【解決手段】  酸素を貯蔵し酸素をユーザに供給するための携帯自己充足的な酸素治療機器は、液体酸素を含む低温のタンク(１)を含むケース(３)と、ユーザの呼吸器系に酸素を供給する前記タンク（１）から酸素を加熱／気化するための部材（２、１２）を備えた前記タンク（１）の出口に接続された加熱回路と、液体酸素のリザーブに属している補完的なカップリングに充填方向（Ｄ）で接続される流体接続部材(１４)と、前記タンク(１)の内部に接続されたベント弁(２０)と、前記ベント弁(２０)を制御する可動部材（２１、１２１、２２１）とを具備し、閉位置から開位置への動きで前記制御部材（２１、１２１、２２１）は、前記ケース(３)の内部および／または前記充填（Ｄ）方向に向けられた少なくとも１つの部品を有する。【選択図】  図２１
2008057777.tif 000002
【特許請求の範囲】
【請求項１】
酸素を貯蔵し、酸素をユーザに供給するための携帯自己充足的な酸素治療機器であって、
液体酸素を含むことを目的とした低温のタンク(１)を含むケース(３)と、
ユーザの呼吸器系に酸素を供給するために前記タンク（１）から酸素を加熱／気化するための少なくとも１つの部材（２、１２）を備えている、前記タンク（１）の出口に接続された加熱回路と、
液体酸素のリザーブに属している補完的なカップリングに充填方向（Ｄ）で接続されることを目的とした流体接続部材(１４)、例えばオスまたはメスの充填カップリングを備えている前記低温のタンク(１)を満たすための回路と、
前記タンク(１)の内部に接続されたベント弁(２０)と、
手で操作されることができ、前記ベント弁(２０)が閉であるかまたは開である位置の間を動き-伝送システム（２３、２４；２５；２６〜２８）を介してバルブ(２０)を操作するために前記ケース(３)に対して動かされることが可能な制御部材（２１、１２１、２２１）である、前記ベント弁(２０)を制御するためのこの可動部材（２１、１２１、２２１）と、を具備し、
前記閉位置から前記開位置へのその動きにおいて、前記制御部材（２１、１２１、２２１）は、おおよそ前記ケース(３)の内部の方へおよび／または前記充填（Ｄ）方向に向けられた少なくとも１つの部品を有する動きを示すことを特徴とする機器。
【請求項２】
前記閉位置から前記開位置へのその動きにおいて、前記制御部材（２１、１２１、２２１）および／または動き−伝送システム（２３、２４；２５；２６〜２８）は、前記充填方向（Ｄ）に向けられた少なくとも１つの部品を有する前記機器に力を生じることを特徴とする請求項１に係る機器。
【請求項３】
前記開位置から前記閉位置へのその動きにおいて、前記制御部材（２１、１２１、２２１）は、おおよそ前記ケース(３)の外側の方へおよび／または前記充填方向（Ｄ）に対する反対方向へ向けられた動きを示すことを特徴とする請求項１又は２に係る機器。
【請求項４】
前記制御部材（２１、１２１、２２１）は、前記ケース(３)に対して、回転および／または並進動きを与えられることができることを特徴とする請求項１〜３のいずれか１項に係る機器。
【請求項５】
前記制御部材（２１、１２１、２２１）は、前記ケース(３)に対して、関節でつながれるレバー（２１）を具備することを特徴とする請求項１〜４のいずれか１項に係る機器。
【請求項６】
前記レバー（２１）は、第１の端部（２３）で前記ケース(３)に対して関節でつながれ、および、フリーな第２の端部（２９）を有することを特徴とする請求項５に係る機器。
【請求項７】
前記レバー（２１）は、前記レバー（２１）が回転するときに、前記バルブ（２０）を操作するレバーアームを形成するために動き−伝送システム（２４）によって前記ベント弁（２０）に接続されることを特徴とする請求項５又は６に係る機器。
【請求項８】
前記レバー（２１）に回転を許容する位置と、前記レバー（２１）に回転するのを防止する位置との間を動かされる、前記レバー（２１）を固定するための取り外し可能なエレメント（３０）を具備することを特徴とする請求項５〜７のいずれか１項に係る機器。
【請求項９】
前記取り外し可能なレバーを固定しているエレメント（３０）は、前記ケース(３)に対して動かされることができる端部ストッパ（３０）を具備し、前記レバー（２１）の前記第２の端部（２９）と共同するかまたは共同しないことが可能であり、
前記可動の端部ストップは、握持するための部分（３１）に接続されているということを特徴とする請求項６又は８に係る機器。
【請求項１０】
前記レバー（２１）が回転するのを防止する位置に前記レバー（２１）を固定するための前記手段（３０）を圧接している戻り部材を具備することを特徴とする請求項８又は９に係る機器。
【請求項１１】
前記制御部材（２１、１２１、２２１）は、前記ベント弁(２０)の閉および開にそれぞれ対応した、ケース(３)の上部と下部に対して規定されている、起こされた位置および下ろされた位置の間で前記ケース(３)の少なくとも一部の周りを摺動することが可能なスリーブ（１２１）を具備し、
前記スリーブ（１２１）を起こされた位置の方に圧接している戻り部材を更に具備することを特徴とする請求項１〜４のいずれか１項に係る機器。
【請求項１２】
前記ケース(３)は、その下部の方へ広がる少なくとも１つの部分を具備し、
前記制御部材（２１、１２１、２２１）は、前記広がる部分に少なくとも部分的に位置づけられることを特徴とする請求項１〜１１のいずれか１項に係る機器。
【請求項１３】
前記流体接続部材(１４)は、前記機器の下部に位置されていることを特徴とする請求項１〜１２のいずれか１項に係る機器。
【請求項１４】
前記流体接続部材(１４)は、前記ベースプレート(４)に対向することを目的とされる前記ケース(３)のその下部に位置していることを特徴とする請求項１〜１３のいずれか１項に係る機器。
【請求項１５】
前記タンク(１)を満たすためのカップリングを形成する前記流体接続部材(１４)は、前記充填方向（Ｄ）に沿って向けられることを特徴とする請求項１〜１４のいずれか１項に係る機器。
【発明の詳細な説明】
【技術分野】
【０００１】
本発明は、酸素を貯蔵し、および供給するための携帯機器に関する。
【０００２】
本発明は、特に液体酸素を含むことを目的とする低温のタンクと、ユーザに酸素を供給する目的でタンクから酸素を加熱／気化するための少なくとも１つの部材を有するタンクに接続された加熱回路と、液体酸素のリザーブに属する補完的なカップリングに充填方向で接続されることを目的とした、例えばオスまたはメスの充填カップリングのような流体接続部材を備えた低温のタンクを満たすための回路と、タンクの内部に接続されたベント弁と、手で操作されることができるベント弁を制御するために可動部材と、前記バルブが閉であるかオープンである位置の間を動き-伝送システムを介してバルブを操作するためにケースに対して動かされることが可能な制御部材とを含むケースを具備する、酸素を貯蔵および供給するための携帯機器に関する。
【背景技術】
【０００３】
このような携帯の酸素貯蔵および供給装置は、通常、ストラップまたはショルダストラップを使用してユーザによって、周りに持ち歩かれる。これらの機器は「携帯酸素リザーブ」として患者の呼吸器系に、たとえば、患者の鼻孔に接続されることができる酸素眼鏡（ｏｘｙｇｅｎ  ｓｐｅｃｔａｃｌｅｓ）を使用して、接続されることを目的とするものであると一般に知られている。これらの携帯機器は、したがって、ユーザの日々の動きにおいて彼に随伴しなければならない。
【０００４】
携帯機器が空のときに、ユーザは、より多い液体酸素記憶容量を供給されたリザーブにそれを接続することによってそれを満たす。ストレージタンクおよび携帯タンクを含むこのようなシステムは、たとえば、ＵＳ４２１１０８６公報に記載されている。
【０００５】
従来、ベント弁の開口は、携帯タンクの下部に位置された回転レバーによってマニュアルで制御される。携帯タンクを満たすために、ユーザは、充填カップリングをオープンさせるために、および、ベント弁を操作するためのレバーを引っ張るために、リザーブに対して携帯タンクを同時に押圧しなければならない。操作のこの組合せは、しかしながら、それが相対的に大きい力で２つの別々の動きの調整を必要とするように、このような患者にとって相対的に困難である。加えて、バルブ制御部材のいくぶん非実用的な配置のために、ユーザは、多くの場合、バルブ-作動部材に過度の力を振るう傾向がある。この頻度によって、ベント弁の軸に変形が生じ、従って、前記バルブの寿命を減らす。
【０００６】
さらに、呼吸不全に苦しんでいる患者に対する、および、特に、年輩者に対する人間工学およびハンドリングの容易さに関して、周知のシステムは、通常、あまり好都合にはされていない。これらのポータブルシステムの質量は、一般に、これらの患者に対し、１．５ｋｇを上回る非常に重い負荷となりうる。
【発明の開示】
【発明が解決しようとする課題】
【０００７】
従来の技術の全ての、またはいくつかの不利な点を軽減しようと提案することは、本発明の１つの目的である。
【課題を解決するための手段】
【０００８】
この目的は、上記の前文に係る酸素を貯蔵し、供給するための移動可能な機器が閉位置から開位置へのその動きで基本的に特徴付けられ、制御部材がおおよそケースの内部の方へおよび／または充填の方向に向けられる少なくとも１つの部品を有する動きを示すという事実によって達成される。
【０００９】
さらにまた、本発明は、次の形態の１つ以上を具備することができる。
【００１０】
−閉位置から開位置のその作動中に、制御部材および／または動き-伝送システムは、充填方向に向けられた少なくとも１つの部品を有する機器に力を生じる。
【００１１】
−開位置から閉位置へのその動きにおいて、制御部材は、おおよそケースの外側の方へおよび／または充填方向に対する反対方向に向けられる動きを示す。
【００１２】
−制御部材は、ケースに対して回転および／または並進動きを与えられることができる。
【００１３】
−制御部材は、ケースに対して関節でつながれたレバーを具備する。
【００１４】
−レバーは、第１の端部でケースに対して関節でつながれ、およびフリーな第２の端部を有する。
【００１５】
−レバーは、レバーが回転するときに前記バルブを操作するためのレバーアームを形成するために動き-伝送システムによってベント弁に接続される。
【００１６】
−機器は、レバーを固定するための取り外し可能なエレメントを具備し、このエレメントは、レバーが回転することを許容する位置と、レバーが回転するのを防止する位置との間を動かされることができる。
【００１７】
−取り外し可能なレバーを固定しているエレメントは、ケースに対して動かされることができる端部ストッパを具備し、レバーの第２の端部と共同するかまたは共同しないことが可能であり、可動端部ストップは、握持するための部分に接続されている。
【００１８】
−機器は、レバーが回転するのを防止する位置にレバーを固定するための手段を圧接している戻り部材を具備する。
【００１９】
−制御部材は、それぞれベント弁の閉止と、開口とに対応する起こされた位置と、下げられた位置との間にケースの少なくとも一部の周りに摺動することが可能なスリーブを具備する。起こされた位置および下げられた位置は、ケースの上部および下部に対して規定されている。機器は、スリーブをその起こされた位置の方に圧接している戻り部材を更に備えている。
【００２０】
−ケースは、その下部の方へ広がる少なくとも１つの部分を具備し、制御部材は、その広がる部分（拡幅部）に少なくとも部分的に位置づけられる。
【００２１】
−流体接続部材は、機器の下部に位置している。
【００２２】
−流体接続部材は、ベースプレートに対向することを目的とされるケースの下部に位置している。
【００２３】
−タンクを満たすためのカップリングを形成する流体接続部材は、充填の方向に向けられる。
【００２４】
−レバーの関節の軸は、機器の垂直軸に対しておおよそ直角をなす。
【００２５】
−レバーの第１および第２の端部は、機器の垂直軸に沿って、異なる高さに位置している。
【００２６】
−レバーの第１の端部は、ケースの上下の端部に対して、レバーの第２端部より上に位置している。
【００２７】
−レバーは、充填方向の方とケースの外側の方とへ回転することを許容するために、その下端で関節でつながれる。
【００２８】
−機器は、少なくとも部分的に、ベント弁制御部材を備えるケースの領域と一致する第２のハンドリンググリップを具備する。
【００２９】
−第２のハンドリンググリップは、収納位置と、展開位置との間を動かすことができる構造、および、グリップをその収納位置に圧接している戻り手段を有する。
【００３０】
−制御部材は、ケースに対して並進動きが可能なボタンを具備する。
【００３１】
−機器は、回転によって機器を周辺で動かすことを可能とする少なくとも１つの回転部材を有するベースプレートを具備し、ベースプレートおよびケースは、ベースプレートに対してケースをロックする能動位置と、ベースプレートに対してケースを分離する非アクティブの位置との間で動かされることができる嵌合キャッチング部材を具備している。
【００３２】
−ベースプレートおよびケースによって、それぞれ形成される嵌合キャッチング部材は、可動部と、前記可動部のための端部ストッパを形成するハウジングとを含んでいるシステムを具備する。可動部は、ハウジングと共同の位置と、ハウジングと非共同の収納位置との間で動かされることが可能である。
【００３３】
−機器は、キャッチング部材に結合された制御部材を具備する。そして制御部材は、それがベースプレートにケースをロックする能動位置に嵌合キャッチング部材を圧接する第１の位置と、それがベースプレートからケースを分離する非アクティブの位置に嵌合キャッチング部材を圧接する第２の位置との間で動かされることが可能である。
【００３４】
−機器は、制御部材をその第１の位置の方に圧接する戻りエレメントを具備する。
【００３５】
−制御部材は、ボタンまたはペダルを具備する。
【００３６】
−制御部材は、ベースプレートに配置される。
【００３７】
−制御部材は、キャッチング部材の少なくとも一部に機械的に接続される。
【００３８】
−嵌合キャッチング部材は、ベースプレートに固定された少なくとも１つの可動フックと、ケースの下部に形成された嵌合ハウジングとを具備する。
【００３９】
−嵌合キャッチング部材は、ベースプレートに固定された可動第１のフックおよび据えられた第２のフックと、ケースの下部に形成され、各々の２つのフックで１つに共同することを目的とされた２つの嵌合ハウジングとを具備する。
【００４０】
−ケースの下部は、少なくとも１つの開口、酸素を加熱／気化するための部材または複数の部材によって生成された濃縮物を収集するための領域を形成する凹ボリュームを有するベースプレートの上面を具備する。
【００４１】
−ベースプレートは、地面に載置されるように設計された軸受領域を具備し、ケースを受け入れることを目的とするベースプレートの部分は、軸受領域と、回転部材に提供されるベースプレートの部分との間におおよそ位置される。もしそうなら、一方では軸受領域と、回転部材との上で安定した方法で機器を立つように許容し、および、他方では、機器を、回転部材に枢支し、回転部材で進んで行くことを許容する。
【００４２】
−タンクおよび第１の加熱／気化部材は、ケースの下部に位置される。そして、第２の加熱／気化部材が、タンクおよび第１の加熱／気化部材より上のケースの上部に位置される。
【００４３】
−キャッチングシステムの制御部材は、可動部に固定される。
【００４４】
−回転部材は、共通の軸上に装着される２つの並列のホイールまたはローラーを具備する。
【００４５】
−濃縮物収集領域は、水分吸収エレメント、例えば交換可能なパッドを具備する。
【００４６】
−機器は、機器によって供給される酸素の流量を調整し、ケースの上部に位置された操作ノブを備えたシステムを具備する。
【００４７】
−機器は、タンク内に含まれた流体のレベルを測定し、表示するシステムを具備する。レベルは、おおよそケースの中央に示されている。
【００４８】
−機器は、ケースの上部に位置された第１のハンドリンググリップを具備する。
【００４９】
−第１のハンドリンググリップは、機構、例えば入れ子式のすべり機構を介して、ケースに対して配備または格納されることができる少なくとも１つのポールに固定される。
【発明を実施するための最良の形態】
【００５０】
ここでは、図１および図２を参照し、酸素を貯蔵し、供給するための携帯機器は、その上部端部の方へ狭くなっている全体にわたって長円形形状のケース３を有している。ケース３は、液体酸素（蒸気で平衡にある）を含むことを目的とする低温のタンク１を含む。
【００５１】
ケース３も、タンク１に接続された加熱回路を収納し（それ自体が知られているので、詳細に記載しない）、この例で、ユーザに（例えば、酸素眼鏡を介して）それを供給するためにタンク１から酸素を加熱／気化するための２つの蛇管コイル（ｓｅｒｐｅｎｔｉｎｅ  ｃｏｉｌ）２、１２を具備する。
【００５２】
ケース３の下部ベースは、取り外しできるようにベースプレート４に固定され、それには、機器が前方へ転がしていくことができるようにローラー５が取り付けられている。
【００５３】
有利に、機器は、ケース３の上部に好ましくは位置づけられる第１のハンドリンググリップ１１を具備することができる。選択として、また、図１、図２、および図８において見え得るように、第１のハンドリンググリップ１１は、ケース３に対して配備されることができるかまたは格納されることができる少なくとも１つのポール１２０またはシャフトに固定され、たとえば、入れ子式のすべり機構等を介して、ケース３に収容されることができる。このような方法で、上部グリップ１１は、患者のサイズにとって好都合であるようにその高さを調整するための手段を備えていることができる。選択として、ポール１２０は、矩形、四角、または同様の非円形断面のものであり、補完的にガイドと共同（ｃｏｌｌａｂｏｒａｔｉｎｇ）するものである。このような方法で、グリップ１１は、ケース３に対してそのアラインメントを維持することができる。加えて、格納式のポール１２０のこのようなジオメトリは、前方へ、特に、ポール１２０がその長さに沿ってねじれるのを防止することによって、機器を転がしていく動作をより容易にする。
【００５４】
その中心部において、ケース３は、第２のハンドリンググリップ１３を具備することができる。図１０において示すように、第２のハンドリンググリップ１３は、それが収納位置と展開位置との間を動かすことができるような構造と、グリップ１３をその収納位置の方に圧接している戻り部材３２とを有することができる。たとえば、第２のグリップ１３は、一方の端部（例えば低い端部）がケース３の内部に位置させたスプリングシステム３２に接続されるストラップを具備する。スプリングシステム３２のテンションは、ストラップが機器を持ち歩くために用いられていないときにはケース３のボリューム内にストラップ１３の少なくとも一部を格納する。
【００５５】
このスプリングシステム３２は、それが応力（ｓｔｒｅｓｓ）を加えられるときに、携帯機器の質量を測定するための機構と関連させることができる。それが意味するものは、ユーザが展開可能な／格納可能なストラップ１３を介して機器を持ち歩くときに、スプリング３２は、機器の質量の関数として、応力が加えられるということである。リザーバ１の液位（液体のレベル）の測定は、したがって、スプリング３２のテンションを測定する手段と相関されることができる。この測定は、タンク１の液位を与える。このレベルは、好ましくは、おおよそケース３の中心部または下部にディスプレイ４０として表示される。質量がケース３内で分配される方向（特にタンク１および回路２）、および、ディスプレイ４０が据え付けられる位置は、機器がストラップ１３を使用して持ち歩かれるときに、自然に傾く傾向をアセンブリに与えることによって、レベルを示す４０を読み易くすることができる。それが意味するものは、ユーザの方へ上向きに向かうディスプレイ４０を有するケース３の面ということである。
【００５６】
第２のグリップ１３は、ケース３の中央域に完全に組み込まれ、したがって、システムがいかなる位置にあるときにも、それを握持されることを可能とする。
【００５７】
特定で有利なものとして、転がるベースプレート４およびケース３は、嵌合キャッチング部材６、１６；７，１７を具備し、選択的にケース３をベースプレート４に保持されることができるかまたはこれらのアイテムが分離されることができる（図２〜図５参照）。
【００５８】
特に、図４および図５に記載される実施形態において、嵌合キャッチング部材は、回転することができる第１のフック１６と、ベースプレート４に取り付けられた固定の第２のフック６と、ケース３の下部にて形成され、ベースプレートの２つのフック６、１６を、それぞれ収容することを目的とした２つの対応する嵌合ハウジング７、１７とを具備する。
【００５９】
より詳しくは、ベースプレート４は、上部に開口を有する卵形の凹型受け口の全体にわたる形状を有する。
【００６０】
ケース３の下部は、ベースプレート４の凹型上側表面に対向することを目的とされる少なくとも１つの開口を有することができる。このような方法で、ベースプレート４の凹領域は、酸素の加熱／気化するための部材または複数の部材２、１２によって生成され、ケース３内部に位置づけられる濃縮物を収集するためのボリューム１０を形成する。濃縮物収集の領域１０は、したがって、水分吸収エレメント１５、例えば交換可能なパッドを収容することができる。この収集の領域１０に対するアクセスは、迅速且つ容易になされることができ、水分吸収パッドが定期的に変えられることをより容易にする。
【００６１】
２つのフック６、１６は、ベースプレート４の各々２つの端部に位置しているものであって、互いに向きあっているそれらのキャッチング端部を有する。
【００６２】
ベースプレート４は、可動フック１６、例えば関節でつながれたペダルのような部材８を具備する。たとえば、ケース３をイジェクトするためのペダル８は、可動フック１６を有するものとして回転する。したがって、ユーザがペダル８を押し下げるときに、ユーザによって可動フック１６がケース３の外側の方へ回転し、したがって、ケース３のそのハウジング１７から離れる。
【００６３】
ユーザは、それで、上部グリップ１１を使用して、それをハンドリングすることによって、ベースプレート４からケース３を分離することができる。これが意味するものは、ケース３のキャッチングハウジング７、１７がその下部を中心にケース３を回転させることによってフック１６から分離されることができるということである。
【００６４】
ケース３は、したがって、特に容易に、ユーザが努力することなく（ユーザが完全に前屈みになることを必要とせずに）、そのベースプレート４から分離されることができる。ベースプレートから解放され、機器は、それを満たすために、リザーブに接続されることができる。選択として、スプリングのような戻りエレメント９は、ペダルを、ベースプレート４にケース３をロックする位置にそれが可動フック１６を維持するその第１の位置の方に圧接する。
【００６５】
当然、フックの全部または一部は、ケースおよびベースプレート４上の対応するハウジング上に形成されることができる。同様に、他のいかなるオス／メスのキャッチングシステムも、想定されることができる。特に、いくつかの可動キャッチ、フック等は、提供されることができる。
【００６６】
図１〜図５で判るように、ベースプレート４は、地面に載置されるために、設計された軸受領域１９を具備することができる。選択として、ケース３を受け入れることを目的としたベースプレート４の部分は、おおよそ、軸受領域１９と、ローラー５を有するベースプレートの部分との間に位置づけられる。このような方法で、機器は、軸受領域１９およびローラー５上に安定した方法でまっすぐなまま立っていることができ、それがローラー５だけで進んで行くことができるように、傾けられることができる。
【００６７】
ベースプレート４は、たとえば、ケース３がベースプレート４上に装着される方向に対して垂直な共通の軸上に装着される、２つの並列のホイール５またはローラーを具備する。
【００６８】
当然、何らかの他の回転システムは、想定されることができる（ボール等）。同様に、ホイールは、使用にとって好都合であるように、交換可能であることができ、および／または、格納式であることができる。
【００６９】
図２および図３の実施形態において、酸素タンク１と、第１の加熱および気化の蛇管コイルの第１の部品２とは、ケース３の下部に配置され、一方で、第１の加熱および気化の蛇管コイルの第２の部品１２は、タンク１より上のケース３の上部に置かれる。気相を加熱するための第２の蛇管コイル１０２は、第１の蛇管コイルの上部の第２の部品１２内部で、同心で配置される。
【００７０】
第１の蛇管コイルの下部の第１の部品２は、地上の軸受のための領域１９でだいたい垂直に位置合わせされるケース３の「前（ｆｒｏｎｔ）」面として知られている領域に位置している。一方で、タンク１は、ローラー５および上部グリップ１によってだいたい垂直に位置合わせされるケース３の「後（ｒｅａｒ）」面として知られている近くに位置している。
【００７１】
図６の実施形態の他の形式において、タンク１がケース３の「前」面の近くに位置している一方、第１の蛇管コイルの下部の第１の部品２は、他方であるケース３の「後」面に配置される。
【００７２】
当然、本発明は、先に記載されている蛇管コイルの数、およびその相対位置に限定されない。
【００７３】
全ての事象において、機器の構造、並びに、特に、ベースプレート４の構造、および、加熱回路のレイアウトの構造、および、その内部のタンク１の構造は、機器に、そのホイール５の最適な安定性を、特にアセンブリの重心に対して最適位置を与える。回転機器は、扱うのが非常に容易であり、これは、それが周りに運ばれるときに（重心は、ホイール５の近くに相対的にある）、その重量に関して軽量であるとの感覚によって特徴づけられる。得られた安定性は、アセンブリが倒されるリスクを制限する。
【００７４】
従来の方法においても機器は、ユーザに供給される酸素の流量を調整し、操作ノブ１８を有するシステムを具備する。選択として、供給される流量を調整するための操作ノブ１８は、ケース３の上部に位置され、その結果として、着席するまたは立っているユーザ用に完全に向きを合わされ、配置される。
【００７５】
ケース３またはカバーは、十分にヒータ２、１２を換気するために必要とされる換気開口を備えている。換気開口（図に記載されない）は、ケース３の後部領域に、好ましくは位置しており、すなわち日々の使用の間、ぶつかりやすい前領域に対し反対の面であり、好ましくはヒータの全体の長さに沿ったものである。このために、ケース３の前領域は、それを強固に保つために、好ましくは固体（ｓｏｌｉｄ）である。
【００７６】
機器の低温のタンク１を満たすための充填循環路は、液体酸素のリザーブにある嵌合（メス／オス）カップリングに接続されることを目的とした、従来方法のオスまたはメス充填カップリングのような流体接続部材１４を具備する。流体接続部材１４は、機器の下部に位置しており、より詳しくは、ケース３の下部であって、それは、ベースプレート４（図７参照）に向かうように意図されている。
【００７７】
従来の方法において、流体接続部材１４（カップリング）は、液体酸素のリザーブにある補完的なカップリングに、充填の方向Ｄに接続されるような方法で、構成される。それが意味するものは、携帯機器を満たすために、ユーザは、充填カップリングを開かせるために充填方向Ｄにリザーブに対して、この機器を押圧しなければならない。たとえば、携帯機器の下部は、接続カップリング１４を具備し、据えられたリザーブの上面に対して下方に押圧される。
【００７８】
このため、流体接続カップリング１４は、充填のこの方向Ｄに方位に合わせられる（特に図７参照）。
【００７９】
充填動作を実行するために、ユーザは、充填カップリングを開くのと（リザーブに対して押圧することによって）同時に、携帯機器のベント弁２０をオープンしなければならない。特に、携帯機器は、タンク１の内側を外側に接続することが可能なベント弁２０を具備する。
【００８０】
ベント弁２０を開口することは、加圧されたガスをタンク１から外側へ排気されることを許容し、したがって、均圧を介して、充填カップリング１４を通ってタンク１に入るようにリザーブから液体をもたらす。
【００８１】
ユーザは、手で操作されることができる可動制御部材を使用してベント弁２０を開閉する。
【００８２】
特に機器の特定で有利に係るものであって、ベント弁２０を制御するための制御部材は、このような方法で、ケースに対して、および／または、ベント弁２０に対して構成され、閉位置から開位置へのその動きにおいて、制御部材は、ケースのおよび／または充填の方向Ｄの内部の方へおおよそ向けられる、少なくとも１つの部品または力を有する動きを示す。
【００８３】
選択として、制御部材のこの動きは、主にケースの内部の方へ、および／または充填の方向Ｄへ方向を合わせられる機器に力を生成する。それが意味するものは、有意な割合で、および、好ましくはベント弁２０の開口に含まれる力のほとんどが充填カップリングの開口の方向に向けられるということである。
【００８４】
これらの力は、携帯機器を満たす動作中のユーザの動きの動作および調整を非常に単純化する。なぜなら、ベント弁２０を開口することは、また、充填カップリングの開口の方向Ｄにリザーブに対して携帯機器を保持することを組み合わせたからである。
【００８５】
作動部材は、ベント弁２０に、ケースの内部の、および／または充填の方向Ｄの方へ力を提供することに寄与することができる動き伝送システムを経て接続されてもよい。
【００８６】
図１０は、ベント弁２０を作動させるための作動部材の実施例を示す。図１０において、概略的に、ケース３の部品（中心部）だけが記載される。
【００８７】
ベント弁２０を制御するための制御部材は、ケース３に対して関節でつながれることができるレバー２１を具備する。レバー２１は、また、ケースに対して、並進的に動かされるかまたは動かされないことが可能であることができる。
【００８８】
より詳しくは、レバー２１は、関節軸２３を中心に関節でつながれることができる。そして、レバー２１もベント弁２０の開口／閉止を制御する際に含まれる軸２４に接続される。図２２にて図示するように、制御軸２４は、たとえば、入口３２４および出口５２４の間の流体通路を閉ざすかまたは開くためにバルブ２０のシート２２４と共同することを目的とされる弁体１２４に固定される。
【００８９】
ベント弁２０を制御するための制御軸２４は、たとえば、バルブ２０に固定された、従って、ケース３に対して固定された管状スリーブ４２４の内で並進的に動かすことが可能である。レバー２１に、および、制御軸２４に共通の関節軸２３は、したがって、前記軸２４で平行移動を実行することを自由とすることができる。レバー２１は、スリーブ４２４の１つの端部と共同するように、設計されたカム輪郭１２３を有する。したがって、その関節軸２３を中心にレバー２１を回転することは、レバー２１が回転する方向に従って、バルブの開閉の方向に並進動きの効果を制御軸２４に生じさせる。
【００９０】
当然、他のいかなる動き伝送システムも、レバー２１およびバルブ２０の間に提供されることができる。たとえば、レバー２１は、ケース３に対して据えられる関節軸２３を中心に関節でつながれることがあり得る。
【００９１】
リンクロッドまたは同等のものを含むシステムは、ベント弁２０の弁体２４、１２４の並進動きに、レバー２１の回転動きをコンバートすることができる。
【００９２】
より詳しくは、関節軸２３および制御軸２４は、ケース３の内側の方へのレバー２１の回転によって（図１４の矢印Ｒ）、ベント弁２０を（たとえば、バルブ２０に固定された制御軸２４の引っ張りによって）開くように、機械的に接続される。
【００９３】
逆にいえば、ケース３の外側の方へレバー２１を回転することによって、バルブ２０が閉じられる。
【００９４】
レバー２１の下端は、レバー２１が（ベント弁２０をオープンにするように）回転することができる位置と、レバー２１が（バルブ２０がクローズである位置に）回転するのを防止する位置との間を切替えられることができるレバー２１を固定するための取り外し可能なシステムと共同する。
【００９５】
たとえば、レバー２１の下部の端部２９は、ケース３の内部の方へおおよそ向けられ、ケース３の垂直軸に対し直角であるＬ―字状の主分岐で、Ｌ字状の溝１２２１を具備するヘッド２１２１に固定される。溝１２２１によって形成されたＬのベース（第２の分岐）は、その部品に対して、Ｌの主分岐におおよそ垂直である。
【００９６】
ケース３または固定部に固定される端部ストッパ３０は、それがレバー２１の端部でヘッド１２１の溝１２２１中に動かすことができるように、収納される。端部ストッパ３０が溝１２２１の第２の分岐にあるときに、それはレバー２１の下端２９に対してバルブ２０の開口の方向Ｒへの可動を防止する（図１３）。対照的に、端部ストッパ３０が溝１２２１の主分岐内に動かされるときに、それはレバー２１の限定された回転を可能にする（ヘッド２１２１は、主分岐に沿って端部ストッパ３０を中心に摺動することができる）。これのために、端部ストッパ３０は、それがユーザによって作動することができるために、ケース３から突出する握持するための部分３１に接続されることができる（たとえば、溝の第２の分岐１２２１に並列の方向Ｔの並進動きを与える。図１７参照）。望ましくは、少なくとも１つの戻りエレメント（記載されない）、例えばスプリングは、それがレバー２１が回転するのを防止する位置にデフォルトで端部ストッパ３０を圧接するために提供される。
【００９７】
図１８および図１９は、ベント弁２０を制御するための制御部材の実施形態の他の形成を示す。より詳しくは、図９〜図１７のレバー２１を回転させることは、ベント弁２０が閉である起こされた位置と、バルブ２０がオープンである下げられた位置との間をケース３の少なくとも１つの部品の周辺で（好ましくは中心部）摺動スリーブ１２１によって置き換えた。スリーブ１２１は、たとえば、ケース３の可動部または後の方に取り付けられた部品によって形成されることができる。スリーブは、たとえば、軸および／または関節システム２５を介して、バルブ２０の軸に接続される。前述の如く、機器は、好ましくは、スリーブ１２１をその起こされた位置の方に圧接している戻りエレメントを具備する。
【００９８】
本発明（レバー２１の回転またはスリーブ１２１の摺動）に係るベント弁２０を作動させるための作動部材が、一方、機器が、満たされる間、握持される領域に理想的に組み込まれると容易に理解される。これは、なぜなら、ベント弁を開くために、ユーザが、レバー２１（またはスリーブ１２１）を自然に押圧して、両手で装置を握ることができるからである。ベント弁２０の開口のこの動きは、充填カップリング１４を開くために、リザーブに対して、機器を押圧する動き（充填の方向Ｄに）と一致する。
【００９９】
これらの配置は、充填動作の間のユーザに対する操作およびお動きの調整を単純化し、患者に要求される充填苦労を半分にする。なぜならそれは、彼にとって両手を使用することを可能にするからである。
【０１００】
図２０は、図９〜図１６のレバーの回転の別の実施形態におけるベント弁を制御するための制御部材の実施形態のさらにもう一つの他の形式を示し、それはボタン２２１によって置き換えられ、それを押し下げることによる平行移動を与えることによってされることができる。ボタン２２１は、リンクロッド／クランク（リンクロッド２７、関節２８）タイプの動き−伝送機構を介してベント弁２０に接続される軸２６に固定される。動き−伝送機構は、バルブ２０の開口のための動きの中でケース３の内側の方へのボタン２２１の並進動きにコンバートする。この非制限実施例において、バルブ２０は、軸の回転（たとえば１／４のターン）を介して開くタイプのものである。ボタン２２１は、ケース３またはカバーに組み込まれ、バルブ２０がスプリング３３によって開かれるその位置の方へ強制されることができる。あるいは、スプリング３３の動作は、バルブ２０の自動戻り動作によって置き換えられることができる。
【０１０１】
ボタン２２１は、ケース３の上部部分および／または側面に好ましくは位置づけられる。このような方法で、ボタン２２１を押圧する苦労は、充填の方向Ｄに機器上の力を生成し、これは、充填カップリング１４の開口に寄与する。
【０１０２】
前述の如く、機器の人間工学的な握持する領域の全てにおいて、手の自然な位置決めは、充填カップリングの軸Ｄに位置合わせされる力を許容する。これは、充填フェーズの間、システムを保持するための患者に要求される苦労の量を制限し、更に充填カップリング上の予想される摩耗を減少することの一因となる。
【０１０３】
図２１は、レバー２１の回転がその下端（回転軸２００）で関節でつながれるという点で、図９の実施形態と異なるベント弁を制御するための制御部材の実施形態のさらにもう一つの他の形式を示す。そして、レバー２１がその上部端部を介して操作される。したがって、休止位置（閉ざされたベント弁で）で、レバー２１は、おおよそケース３の表面に従っている。レバー２１の上部端部は、安定した休止位置を形成するために、弾性変形（クリップ）等を介してケース３と共同されることができる。
【０１０４】
ベント弁２０を開くために、ユーザは、レバー２１の上端をケース３の外側の方へ引っ張って、そして、それを充填の方向Ｄ（図２１の回転Ｒ）の下方に回転させる。ベント弁２０が開位置にあるときに、レバー２１はケース３の表面におおよそ直角に突設する。本実施例において、前述の別の他の形式の効果を有することに加えて、ベント弁２０がオープンであるという事実は、突設しているレバー２０の形で明確に示される。これは偶然にベント弁２０を開くかまたはそれを閉じるのを忘れるリスクを更に低減する。なぜなら、ユーザはこれに対して直ちに警戒するからである。
【０１０５】
それが休止位置（バルブ２０が閉のときに）にほとんどまたは全く突設しないというような方法で、ベント弁２０を作動させるための作動部材は、ケース３の表面に好ましくは組み込まれる。このような方法で、ベント弁２０の偶発的な開口は、回避される。
【０１０６】
ケース３または機器は、全体として取り外し可能な保護システム、たとえば布地でできているもので覆われていることができる。この保護システムは、管または他のいかなる対象物のための保管領域を備えていることができる。運搬、レベルの測定、および、ベント弁の開口の機能が全て同じ領域に共に集められるように、中心グリップ１３は、ベント弁２０の開口のための部材２１の近くに配置されることができる。
【０１０７】
他の詳細な説明および利点は、上記の説明を図とともに読み取りことにより明瞭になる。
【図面の簡単な説明】
【０１０８】
【図１】本発明の一実施形態に係る酸素を貯蔵し、供給するための携帯機器の斜視図を記載し、その位置において、それは、その回転するベースプレートに接続され、その展開された上部握りを有する。
【図２】図１の機器の側面図を記載し、上部握りは、収納されている。
【図３】図１の機器の側面図を記載し、その位置において、それは、転がるベースプレートから分離されている。
【図４】図４は、図１の機器の転がるベースプレート部品を示している側面図を記載する。
【図５】図５は、図１の機器の転がるベースプレート部品を示している斜視図を記載する。
【図６】他の実施形態に係る図１の機器の概略側面図であって、機器の中で低温液体を貯蔵し、加熱するためのエレメントのレイアウトを記載する。
【図７】図１の機器の詳細な拡大図を記載し、機器のベースとその転がるベースプレートとの間のコネクションを示す。
【図８】図６の機器の詳細の拡大図を記載し、上部入れ子式のグリップハンドルを示す。
【図９】本発明に係る酸素を貯蔵し、供給するための機器の詳細を示し、もう一つの実施例のその外部ケースの部品に関して略図で例示する。
【図１０】図９のケースの鉛直断面であって、側面からの図を記載し、ロックされた休止位置（閉ざされたベント弁を伴って）の機器のベント弁を制御するためのレバー機構を示す。
【図１１】図１０の詳細な拡大図を記載し、休止位置のレバーを固定するための取り外し可能な機構を示す。
【図１２】図１０に対応するケースの斜視図を記載する。
【図１３】図１１に対応するケースの斜視図を記載する。
【図１４】図１０に同様のケースの図を記載し、ベント弁制御レバー機構は、ロック解除位置にあり、レバーは、その作業位置の方へ（ベント弁の開口の方へ）動かされる。
【図１５】図１１に同様のケースの図を記載し、ベント弁制御レバー機構は、ロック解除位置にあり、レバーは、その作業位置の方へ（ベント弁の開口の方へ）動かされる。
【図１６】図１４に対応する斜視図を記載する。
【図１７】図１５に対応する斜視図を記載する。
【図１８】概略的に、酸素を貯蔵し、供給するための携帯機器の詳細を記載し、前記ベント弁が閉である位置のベント弁制御機構の第２の実施形態を示す。
【図１９】概略的に、酸素を貯蔵し、供給するための携帯機器の詳細を記載し、前記ベント弁がオープンである位置のベント弁制御機構の第２の実施形態を示す。
【図２０】概略的に、酸素を貯蔵し、供給するための携帯機器の詳細を記載し、ベント弁制御機構の第３の実施態様を示している。
【図２１】酸素を貯蔵し、供給するための携帯機器の中心部の斜視図を記載し、ベント弁制御機構の第４の実施態様を示している。
【図２２】機器の詳細の側面図を記載し、関節でつながれたレバーを使用してベント弁の制御の１つの実施例に関して略図で例示している。
【符号の説明】
【０１０９】
１…タンク、２…部材、３…ケース、４…ベースプレート、５…回転部材、６…フック、６…嵌合キャッチング部材、７…ハウジング、９…戻りエレメント、１０…ボリューム、１１…グリップ、１２…部材、１３…グリップ、１４…流体接続部材、１５…水分吸収エレメント、１６…嵌合キャッチング部材、１８…操作ノブ、１９…軸受領域、２０…ベント弁、２０…レバー、２３…関節軸、２５…関節システム、４０…ディスプレイ、１０２…蛇管コイル、１２０…ポール、１２１…スリーブ。
【図１】
2008057777.tif 000003
【図２】
2008057777.tif 000004
【図３】
2008057777.tif 000005
【図４】
2008057777.tif 000006
【図５】
2008057777.tif 000007
【図６】
2008057777.tif 000008
【図７】
2008057777.tif 000009
【図８】
2008057777.tif 000010
【図９】
2008057777.tif 000011
【図１０】
2008057777.tif 000012
【図１１】
2008057777.tif 000013
【図１２】
2008057777.tif 000014
【図１３】
2008057777.tif 000015
【図１４】
2008057777.tif 000016
【図１５】
2008057777.tif 000017
【図１６】
2008057777.tif 000018
【図１７】
2008057777.tif 000019
【図１８】
2008057777.tif 000020
【図１９】
2008057777.tif 000021
【図２０】
2008057777.tif 000022
【図２１】
2008057777.tif 000023
【図２２】
2008057777.tif 000024
【外国語明細書】
2008057777000001.pdf